(57)【要約】【課題】加熱タンクを設けることなく、且つ給湯器が適温設定されている場合であっても、水栓から適温で吐水することが可能な即湯システムを提供する。【解決手段】貯湯部４０と制御部５０とを備える即湯システムが提供される。制御部は、給湯器１０から貯湯部へ供給された水Ｈ１が高温の場合は、水Ｈ１を第１の割合Ｒ１で貯湯部に供給するとともに、貯湯部から押し出された水Ｈ４と、水Ｈ１の残りの水Ｈ３と、を水栓に供給する。水Ｈ１が低温の場合は、水Ｈ１を、第１の割合よりも高い第２の割合Ｒ２で貯湯部に供給するとともに、貯湯部から押し出された水Ｈ４を水栓に供給する。水Ｈ１が中間の温度の場合は、水Ｈ１の全てを、貯湯部を介さずに水栓に供給する。【選択図】図１
2010286189.tif 000002
【特許請求の範囲】
【請求項１】
給湯器と水栓との間に配設される即湯システムであって、
前記給湯器の側から供給される水を貯溜する貯湯部と、
前記給湯器の側から供給される水の流れを制御する制御部と、
を備え、
前記制御部は、
前記給湯器の側から供給された水の温度が、第１温度よりも高い場合は、前記給湯器の側から供給された前記水のうちの第１の割合の水を前記貯湯部に供給するとともに、前記貯湯部から押し出された水と、前記給湯器の側から供給された前記水のうちの残りの水と、を前記水栓に供給し、
前記給湯器の側から供給された前記水の温度が、前記第１温度よりも低い第２温度よりも低い場合は、前記給湯器の側から供給された前記水のうちの前記第１の割合よりも高い第２の割合の水を前記貯湯部に供給するとともに、前記貯湯部から押し出された水と、前記給湯器の側から供給された前記水のうちの残りの水と、を前記水栓に供給し、
前記給湯器の側から供給された前記水の温度が、前記第２温度以上で前記第１温度以下である場合は、前記給湯器の側から供給された前記水の全てを、前記貯湯部を介さずに、前記水栓に供給することを特徴とする即湯システム。
【請求項２】
前記第２の割合は、１であることを特徴とする請求項１記載の即湯システム。
【請求項３】
前記制御部は、前記給湯器の側から供給された前記水の温度が前記第１温度よりも高い所定の温度帯において、前記給湯器の側から供給された前記水の温度が高いほど前記第１の割合を高くすることを特徴とする請求項１または２に記載の即湯システム。
【発明の詳細な説明】
【技術分野】
【０００１】
本発明の態様は、即湯システムに関する。
【背景技術】
【０００２】
給湯器と水栓との間に配設される給湯配管内の水は、時間経過とともに冷やされる。そのため、吐水初期に給湯配管内の冷たい水を排水してからでないと、給湯器で加熱した高温の水を水栓から吐水することができなかった。このことは、大量の捨て水が発生してしまうこととなり、また、その待ち時間も長く、好ましいものではなかった。
【０００３】
上記課題に対して、特許文献１（特許第３６２３８８７号公報）では、ヒータが内蔵された加熱タンクを水栓の近傍に設置し、加熱タンクで加熱されて高温となった水と、給湯配管内の冷えた水を混合して、吐水初期から温かい水を吐水できる即湯システムが開示されている。この即湯システムによれば、待ち時間が短く、且つ捨て水量も従来に比べて大幅に削減することが可能となる。しかし、この技術では、ヒータで加熱することが必要となるため、ランニングコストがかかるとともに、構造が複雑化するという問題があった。
【０００４】
一方、特許文献２（特開２００７−１３９３８１号公報）では、ヒータを使わずに、短時間で温かい水を水栓から吐水できる即湯システムが開示されている。この技術では、給湯器から供給される水の温度を２つの温度帯に分け、その温度帯に従って、給湯器からの水をタンク内の水と混合するか否かを切り換えて制御することで、ヒータを使わないで、吐水初期から温かい水を吐水させる。しかし、この技術では、給湯器が、内部に貯留する水を使用者が水栓からの吐出を所望する適温（例えば４０℃前後）まで加熱するよう設定されており、タンク内に冷えた水が貯留されている場合、水栓から吐水される水の温度は給湯器の設定温度よりも低くなってしまう。このため、給湯配管から供給される水がタンク内の冷えた水と混ざって冷やされた場合においても適温以上の水を水栓に供給するためには、給湯器の設定温度を予め高温（例えば６０℃程度）に設定することとなる。このように、本技術では、実際に水栓から吐水される湯の温度と給湯器の設定温度とに差が生じてしまう。
【先行技術文献】
【特許文献】
【０００５】
【特許文献１】特許第３６２３８８７号公報
【特許文献２】特開２００７−１３９３８１号公報
【発明の概要】
【発明が解決しようとする課題】
【０００６】
本発明は、加熱タンクを設けることなく、且つ給湯器が適温設定されている場合であっても、水栓から適温で吐水することが可能な即湯システムを提供する。
【課題を解決するための手段】
【０００７】
上記課題を解決するために本発明に係る即湯システムは、給湯器と水栓との間に配設される即湯システムであって、前記給湯器の側から供給される水を貯溜する貯湯部と、前記給湯器の側から供給される水の流れを制御する制御部と、を備え、前記制御部は、前記給湯器の側から供給された水の温度が、第１温度よりも高い場合は、前記給湯器の側から供給された前記水のうちの第１の割合の水を前記貯湯部に供給するとともに、前記貯湯部から押し出された水と、前記給湯器の側から供給された前記水のうちの残りの水と、を前記水栓に供給し、前記給湯器の側から供給された前記水の温度が、前記第１温度よりも低い第２温度よりも低い場合は、前記給湯器の側から供給された前記水のうちの前記第１の割合よりも高い第２の割合の水を前記貯湯部に供給するとともに、前記貯湯部から押し出された水と、前記給湯器の側から供給された前記水のうちの残りの水と、を前記水栓に供給し、前記給湯器の側から供給された前記水の温度が、前記第２温度以上で前記第１温度以下である場合は、前記給湯器の側から供給された前記水の全てを、前記貯湯部を介さずに、前記水栓に供給することを特徴とする。  
本発明では、制御のための温度帯を主に３つにわけ、給湯器の側から供給された水の温度が第２温度以上で第１温度以下である中間の温度帯（後述する第３温度帯）の場合は、給湯器の側から供給された水がそのまま水栓に供給されるので、給湯器が適温設定されている場合であっても、加熱タンクを設けることなく水栓から適温の水を吐水することが可能となる。
【０００８】
本願請求項２に係る即湯システムは、前記第２の割合は、１であることを特徴とする。
この態様では、給湯器の側から供給された水が低温の温度帯（後述する第２温度帯）の場合は、貯湯部に貯留されている高温の水のみが水栓に供給されるので、少なくとも貯湯部内の水温が適温以上あれば、直ちに水栓から適温で吐水することが可能となる。
【０００９】
本願請求項３に係る即湯システムは、前記制御部は、前記給湯器の側から供給された前記水の温度が前記第１温度よりも高い所定の温度帯において、前記給湯器の側から供給された前記水の温度が高いほど前記第１の割合を高くすることを特徴とする。  
この態様では、高温度時になればなるほど、より多くの水を貯湯部に供給することになるため、貯湯部を早期に高温の水で満たすことができる。
【発明の効果】
【００１０】
本発明によれば、加熱タンクを設けることなく、且つ給湯器が適温設定されている場合であっても、水栓から適温で吐水することが可能な即湯システムが提供される。
【図面の簡単な説明】
【００１１】
【図１】実施形態に係る即湯システムの構成及び動作をそれぞれ例示する模式図である。
【図２】第１の実施例の即湯システムの概要を例示する模式図である。
【図３】第１の実施例の即湯システムの貯湯部の動作を例示する模式図である。
【図４】第１の実施例の即湯システムの制御部の構成を例示する模式図である。
【図５】第１の実施例の即湯システムの動作を例示する模式図である。
【図６】第１の実施例の即湯システムの動作を例示する模式図である。
【図７】第１の実施例の即湯システムの動作を例示する模式図である。
【図８】第２の実施例の即湯システムを例示する模式図である。
【発明を実施するための形態】
【００１２】
以下、本発明の実施の形態について図面を参照しつつ説明する。なお、各図面中、同様の構成要素には同一の符号を付して詳細な説明は適宜省略する。  
図１〜図８は、本発明の実施形態に係る即湯システムを例示する模式図である。  
すなわち、図１（ａ）及び（ｂ）は、即湯システムの構成及び動作をそれぞれ例示する模式図である。図２〜図６は、第１の実施例の即湯システムを例示する模式図である。図２は、即湯システムの概要を例示し、図３は、即湯システムに用いられる貯湯部の動作を例示し、図４は、即湯システムに用いられる制御部の構成を例示しており、図５〜図７は、即湯システムの動作を例示している。図８は、第２の実施例の即湯システムを例示する模式図である。
【００１３】
本発明の実施形態に係る即湯システムは、給湯器１０から水栓２０に供給される水（湯）の流れを制御する。
【００１４】
図１に表したように、実施形態に係る即湯システム８は、貯湯部４０と制御部５０とを備える。
【００１５】
なお、給湯器１０と、即湯システム８と、水栓２０と、は、それぞれ別体として形成されていてもよく、または、これらいずれか２つ以上が一体的に形成されていてもよい。例えば、給湯器１０と即湯システム８とが一体的に形成されていてもよく、即湯システム８と水栓２０とが一体的に形成されていてもよく、または、給湯器１０と即湯システム８と水栓２０とが一体的に形成されていてもよい。
【００１６】
制御部５０は、給湯器１０から貯湯部４０へ供給される水（湯）と、給湯器１０及び貯湯部４０から水栓２０に供給される水（湯）と、を制御する。
【００１７】
給湯器１０と水栓２０とは、給湯器１０の側の給湯配管３０及び水栓２０の側の給湯配管３１によって接続されており、即湯システム８は、例えば、上流側に配設される給湯配管３０及び下流側に配設される給湯配管３１の途上に配設される。
【００１８】
貯湯部４０は、断熱性を有している。すなわち、貯湯部４０は、給湯配管３０よりも高い断熱性を有する。
【００１９】
そして、制御部５０は、給湯器１０の側から供給される水の温度に関する３つの温度帯に従って、上記の水を制御する。この温度帯の設定にあたっては、第１温度Ｔ１と、第１温度Ｔ１よりも低い第２温度Ｔ２と、が用いられる。なお、これら第１温度Ｔ１及び第２温度Ｔ２は、予め定められる。
【００２０】
そして、上記の３つの温度帯は、第１温度Ｔ１よりも高い第１温度帯ＴＲ１と、第２温度Ｔ２よりも低い第２温度帯ＴＲ２と、第２温度Ｔ２以上で第１温度Ｔ１以下の第３温度帯ＴＲ３と、とされる。
【００２１】
第１温度Ｔ１は、例えば４５℃であり、第２温度Ｔ１は４０℃である。すなわち、第１温度帯ＴＲ１は、４５℃よりも高い温度の高温帯であり、第２温度帯ＴＲ２は４０℃よりも低い低温帯であり、第３温度帯ＴＲ３は、４０℃以上で４５℃以下の適温の適温帯である。
【００２２】
そして、制御部５０は、上記の第１温度帯ＴＲ１、第２温度帯ＴＲ２及び第３温度帯ＴＲ３に基づいて以下の制御を行う。
【００２３】
すなわち、給湯器１０の側から供給された水Ｈ１の温度Ｔが第１温度帯ＴＲ１にある場合は、給湯器１０の側から供給された水Ｈ１を、第１の割合Ｒ１で貯湯部４０に供給する。そして、それと供に、第１の割合Ｒ１で貯湯部４０へ供給された水Ｈ２によって貯湯部４０から押し出された水Ｈ４と、給湯器１０の側から供給された水Ｈ１の残りの水Ｈ３（貯湯部４０を介さずに供給される水）と、を水栓２０に供給する。
【００２４】
第１の割合Ｒ１は例えば、０．１〜０．２とすることができる。すなわち、給湯器１０の側から供給された水Ｈ１の温度Ｔが高温の場合は、水Ｈ１の内の１割〜２割の水Ｈ２を貯湯部４０に供給しつつ、それによって貯湯部４０から押し出された水Ｈ４と、給湯器１０の側から供給された水Ｈ１の内の残りの８割〜９割の水Ｈ３と、を混合して水栓２０に供給する。
【００２５】
これにより、高温である水Ｈ１の一部の水Ｈ２が貯湯部４０に供給され、貯湯部４０に高温の水が徐々に貯まる。貯湯部４０に貯まった水は、貯湯部４０の断熱性によって保温される。ただし、ある程度の放熱によって徐々に温度が低下しても良い。そして、水Ｈ２によって貯湯部４０から押し出された水Ｈ４と、水Ｈ１の残りの水Ｈ３とが混合されることにより、水Ｈ５は水Ｈ４よりも僅かに高い温度となって水栓２０に供給される。
【００２６】
そして、給湯器１０の側から供給された水Ｈ１の温度Ｔが第２温度帯ＴＲ２にある場合は、給湯器１０の側から供給された水Ｈ１を、第１の割合Ｒ１よりも高い第２の割合Ｒ２で貯湯部４０に供給する。そして、それと供に、第２の割合Ｒ２で貯湯部４０へ供給された水Ｈ２によって貯湯部４０から押し出された水Ｈ４と、給湯器１０の側から供給された水Ｈ１のうちの残りの水Ｈ３と、を水栓２０に供給する。
【００２７】
第２の割合Ｒ２は、例えば１とすることができる。ただし、本発明の実施形態において、第２の割合Ｒ２は、第１の割合Ｒ１よりも高ければ良く、任意である。以下では、第２の割合Ｒ２が１である場合として説明する。
【００２８】
すなわち、給湯器１０の側から供給された水Ｈ１の温度Ｔが低温の場合は、水Ｈ１の全てである水Ｈ２を貯湯部４０に供給すると供に、水Ｈ２によって貯湯部４０から押し出された水Ｈ４を水栓２０に供給する。なお、第２の割合Ｒ２が１であるこの場合には、給湯器１０の側から供給された水Ｈ１のうちの残りの水Ｈ３の量は零である。このように、残りの水Ｈ３の量が零であり、残りの水Ｈ３が水栓２０に供給されない場合も、便宜上、「給湯器１０の側から供給された水Ｈ１のうちの残りの水Ｈ３を水栓２０に供給する」とされる。
【００２９】
これにより、水Ｈ１の温度Ｔが低温の場合は、貯湯部４０に供給される水Ｈ２によって、貯湯部４０に溜められている水（水Ｈ２に対して相対的に暖かい水）が押し出され、相対的に暖かい水Ｈ４が水栓２０に供給される。
【００３０】
そして、給湯器１０の側から供給された水Ｈ１の温度Ｔが、第３温度帯ＴＲ３にある場合は、給湯器１０の側から供給された水Ｈ１の全てを、貯湯部４０を介さずに、水栓２０に供給する。すなわち、水Ｈ１の温度が適温である場合は、給湯器１０の側から供給された水Ｈ１を、直接、水栓２０に供給する。これにより、水Ｈ１が適温の場合に、水栓２０から適温の水を吐水させることができる。
【００３１】
すなわち、即湯システム８においては、給湯器１０から供給された水Ｈ１の温度を、第１〜第３温度帯ＴＲ１〜ＴＲ３の３つの温度帯に分けて、水を制御する。これにより、即湯システム８によれば、加熱タンクを設けることなく、且つ給湯器が適温設定されている場合であっても、水栓から適温で吐水することが可能となる。
【００３２】
なお、本具体例においては、図１（ｂ）に例示したように、第１温度帯ＴＲ１は、さらに、第１温度Ｔ１よりも高い第３温度Ｔ３に基づいて、第４温度帯ＴＲ４と第５温度帯ＴＲ５とに区分することができる。なお、この第３温度Ｔ３は、予め定められる。第３温度Ｔ３は、例えば５０℃とされる。
【００３３】
そして、第４温度帯ＴＲ４は、第３温度Ｔ３以下で第１温度Ｔ１よりも高い温度帯であり、第５温度帯ＴＲ５は、第３温度Ｔ３よりも高い温度帯である。すなわち、第４温度帯ＴＲ４は、４５℃よりも高く５０℃以下の温度帯であり、第５温度帯ＴＲ５は、５０℃よりも高い温度帯である。
【００３４】
この時、図１（ｂ）に例示したように、第４温度帯ＴＲ４における第１の割合Ｒ１と、第５温度帯ＴＲ５における第１の割合Ｒ１と、を異ならせることができる。
【００３５】
例えば、第４温度帯ＴＲ４においては、水Ｈ１の温度Ｔが高いほど第１の割合Ｒ１を高くする。そして、第５温度帯ＴＲ５においては、第１の割合Ｒ１を一定とし、本具体例では０．２とする。
【００３６】
これにより、高温時の第１温度帯ＴＲ１における吐水の制御をより適切に行うことができる。すなわち、より高温時では、貯湯部４０に水を供給する第１の割合Ｒ１を高くすることで、貯湯部４０に高温の水を効率的に供給することでき、これによって、適切な温度の水を水栓２０に時間遅れが少なく供給することができ、より便利になる。
【００３７】
ただし、本発明の実施形態は、上記に限らず、第１温度帯ＴＲ１は、第４温度帯ＴＲ４と第５温度帯ＴＲ５とを有さず、第１温度帯ＴＲ１が１つの温度帯であっても良い。以下では、第１温度帯ＴＲ１は、第４温度帯ＴＲ４と第５温度帯ＴＲ５とを有する場合として説明する。
【００３８】
（第１の実施例）
図２に表したように、第１の実施例に係る即湯システム８ａは、給湯器１０と水栓２０とを接続する給湯配管３０及び給湯配管３１の途上に設けられている。
【００３９】
なお、本具体例では、水栓２０は、冷水用の出水栓２１と供に、水栓本体２２の一部となっており、水栓２０に供給される湯と出水栓２１に供給される令水とは、適宜混合されてスパウト２３から吐水される。ただし、水栓２０は、出水栓２１とは別に独立して設けられても良い。
【００４０】
即湯システム８ａは、制御部５０と、制御部５０に接続された貯湯部４０と、を備える。
【００４１】
制御部５０の流入口５１ａが、給湯器１０の側の給湯配管３０に接続される。一方、制御部５０の出湯口５１ｂが、水栓２０の側の給湯配管３１に接続される。
【００４２】
そして、制御部５０の第１接続部５１ｃには温水管４３が接続され、制御部５０の第２接続部５１ｄには冷水管４４が接続される。温水管４３は、貯湯部４０の温水管接続部４３ａに接続され、冷水管４４は、貯湯部４０の冷水管接続部４４ａに接続される。
【００４３】
なお、本具体例では、温水管４３と冷水管４４とは、便宜的に貯湯部４０に含めると見なす。ただし、温水管４３と冷水管４４とは、制御部５０に含めると見なしても良く、また、貯湯部４０及び制御部５０とは別体と見なしても良い。
【００４４】
貯湯部４０は、タンク４１と、タンク４１の周囲に設けられたタンク保温部４２と、を有する。タンク保温部４２には、各種の断熱材を用いることができ、また、例えば、外部との熱伝導を抑制する真空容器を用いることもできる。
【００４５】
タンク４１の下部には、温水管接続部４３ａと冷水管接続部４４ａとが設けられている。
【００４６】
そして、タンク４１の内部には、上下方向に延在するタンク内配管４６が設けられている。タンク内配管４６の下部は、温水管接続部４３ａに接続され、タンク内配管４６の上部は、タンク４１内において開口している。タンク４１の下部は、冷水管接続部４４ａに接続されている。
【００４７】
図３（ａ）及び（ｂ）に表したように、本具体例では、タンク４１の下部において、温水管接続部４３ａの周りに冷水管接続部４４ａが配置され、温水管接続部４３ａと冷水管接続部４４ａとは２重管の構造を有している。
【００４８】
そして、図３（ａ）に表したように、温水管４３から供給された水は、温水管接続部４３ａを介して、タンク内配管４６の下部から上部に供給され、タンク内配管４６の上部の開口部からタンク４１内に供給される。そして、その水によってタンク４１内の下部の水が、冷水管接続部４４ａを介して冷水管４４に供給される。すなわち、この場合は、温水管４３から冷水管４４への方向に水が供給される。そして、温水管４３から供給された水は、タンク４１の上部に供給され、それによって、タンク４１内の下部から、タンク４１内の水が冷水管４４に供給される。
【００４９】
また、図３（ｂ）に表したように、冷水管４４から供給された水は、冷水管接続部４４ａを介して、タンク４１の下部に供給される。そして、その水によって、タンク４１内の水が、タンク内配管４６の上部の開口部からタンク内配管４６に供給され、温水管接続部４３ａを介して温水管４３に供給される。すなわち、この場合は、冷水管４４から温水管４３への方向に水が供給される。そして、冷水管４４から供給された水は、タンク４１の下部に供給され、それによって、タンク４１内の上部から、タンク４１内の水が温水管４３に供給される。
【００５０】
このように、本実施例の貯湯部４０においては、温水管４３から冷水管４４への方向と、冷水管４４から温水管４３への方向と、の両方の方向に水を供給させることができる。
【００５１】
なお、タンク４１内の上部には上バッフル４５ａが設けられ、タンク内配管４６から供給される水と、タンク４１内に貯えられている水と、が急激に混合されないようにされている。また、タンク４１内の下部には下バッフル４５ｂが設けられ、タンク４１の下部から供給される水と、タンク４１内に貯えられている水と、が急激に混合されないようになっている。
【００５２】
図４は、制御部５０の模式図である。  
図４に表したように、制御部５０は、給湯配管３０に接続される流入口５１ａと、給湯配管３１に接続される出湯口５１ｂと、温水管４３に接続される第１接続部５１ｃと、冷水管４４に接続される第２接続部５１ｄと、切替弁５２と、冷水弁５３と、冷水逆止弁５４と、分岐部５５と、オリフィス５６と、合流部５７と、を有する。
【００５３】
流入口５１ａには、給湯配管３０を経由して、給湯器１０から供給する水Ｈ１が流入する。
【００５４】
流入口５１ａから流入した水Ｈ１は、切替弁５２に到達する。切替弁５２は、例えばワックスエレメントからなる。
【００５５】
切替弁５２は、水Ｈ１の温度Ｔが第２温度Ｔ２よりも低い場合は、水Ｈ１を冷水逆止弁５４の方向に流入させる。冷水逆止弁５４の一方の端は、第２接続部５１ｄを介して冷水管４４に接続され、冷水管接続部４４ａを介して、貯湯部４０のタンク４１の下部に連通している。
【００５６】
一方、切替弁５２は、水Ｈ１の温度Ｔが第２温度Ｔ２以上の場合には、水Ｈ１を分岐部５５に流入させる。
【００５７】
ここで、切替弁５２の動作に関して、水Ｈ１を分岐部５５に流入させる方向を第１方向とし、冷水逆止弁５４の方向に流入させる方向を第２方向とする。
【００５８】
なお、分岐部５５の一方の端は、合流部５７を経由して、出湯口５１ｂに連通している。
【００５９】
一方、冷水弁５３は、切替弁５２と連結されている。ただし、冷水弁５３の開閉のための当接部５３ｂと冷水弁５３との間には隙間５３ａが設けられており、この隙間５３ａによって、冷水弁５３の開閉の温度は、切替弁５２の切替動作の温度よりも高く設定されている。すなわち、冷水弁５３は、切替弁５２の切替動作温度である第２温度Ｔ２よりも高い温度である第１温度Ｔ１において開閉する。
【００６０】
すなわち、冷水弁５３は、水Ｈ１の温度Ｔ１が第１温度Ｔ１以下の場合は、閉状態である。そして、冷水弁５３は、第１温度Ｔ１よりも高い場合は、開状態であり、水をオリフィス５６の方向に流出させる。
【００６１】
オリフィス５６は水の流動に対して抵抗作用を有しており、流れる水の量を制限可能となっている。オリフィス５６は、合流部５７を経由して、出湯口５１ｂに連通している。
【００６２】
出湯口５１ｂは、水栓２０の側の給湯配管３１に接続され、出湯口５１ｂから水Ｈ５が流出される。
【００６３】
図５〜図７は、即湯システム８ａの動作を例示している。  
図５に表したように、水Ｈ１の温度Ｔ１が、第２温度Ｔ２よりも低い第２温度帯ＴＲ２においては、切替弁５２の方向は第２方向であり、且つ冷水弁５３は閉状態である。
【００６４】
この場合には、図６（ａ）及び図７（ａ）に表したように、水Ｈ１は、切替弁５２を経た後、水Ｈ２として、冷水逆止弁５４→第２接続部５１ｄ→冷水管４４→冷水管接続部４４ａ→タンク４１の下部→タンク内配管４６の上部→タンク内配管４６の下部→温水管接続部４３ａ→温水管４３→第１接続部５１ｃ→分岐部５５を流れ、水Ｈ４として、合流部５７→出湯口５１ｂの方向に流れる。
【００６５】
この場合には、図５に表したように、給湯器１０の側から供給された水Ｈ１と、貯湯部４０へ供給されるＨ２と、の比（Ｈ２／Ｈ１）が第２の割合Ｒ２とされる。本具体例では第２の割合Ｒ２は１であり、すなわち、水Ｈ１の内の残りの水Ｈ３（貯湯部４０に供給されない水）の量を０とする。そして、水Ｈ１の全てが貯湯部４０に送られ、それによって押し出された水Ｈ４が、水Ｈ５として水栓２０に供給される。すなわち、水Ｈ１の全てが貯湯部４０に送られ、それによって押し出された水Ｈ４が、水Ｈ５として水栓２０に供給される。
【００６６】
そして、図５に表したように、水Ｈ１の温度Ｔ１が、第２温度Ｔ２以上で第１温度Ｔ１以下の第３温度帯ＴＲ３においては、切替弁５２の方向は第１方向であり、且つ冷水弁５３は閉状態である。
【００６７】
この場合には、図６（ｂ）及び図７（ｂ）に表したように、水Ｈ１は、切替弁５２→分岐部５５へと流れ、水Ｈ３として、合流部５７→出湯口５１ｂの方向に流れる。
【００６８】
すなわち、図５に表したように、第３温度帯ＴＲ３では、給湯器１０の側から供給された水Ｈ１と、貯湯部４０へ供給されるＨ２と、の比（Ｈ２／Ｈ１）は０であり、貯湯部４０には水が供給されず、水Ｈ１の全てが、水Ｈ５として直接水栓２０に供給される。
【００６９】
そして、図５に表したように、水Ｈ１の温度Ｔ１が、第１温度Ｔ１よりも高い第１温度帯ＴＲ１においては、切替弁５２の方向は第１方向であり、且つ冷水弁５３は開状態である。
【００７０】
この場合には、図６（ｃ）及び図７（ｃ）に表したように、水Ｈ１の一部（第１の割合Ｒ１の水）は、切替弁５２を経て、水Ｈ２として、分岐部５５→第１接続部５１ｃ→温水管４３→温水管接続部４３ａ→タンク内配管４６の下部→タンク内配管４６の上部→タンク４１の下部→冷水管接続部４４ａ→冷水管４４→第２接続部５１ｄ→冷水弁５３→オリフィス５６の方向に流れ、水Ｈ４として合流部５７の方向に流れる。一方、水Ｈ１の残りの一部は、水Ｈ３として、切替弁５２から分岐部５５→合流部５７に流れる。すなわち、タンク４１（貯湯部４０）を経由した水Ｈ４と、タンク４１（貯湯部４０）を経由しない水Ｈ３とが、合流部５７で混合されて出湯口５１ｂに供給される。
【００７１】
すなわち、図５に表したように、第１温度帯ＴＲ１では、給湯器１０の側から供給された水Ｈ１と、貯湯部４０へ供給されるＨ２と、の比（Ｈ２／Ｈ１）を、第２の割合Ｒ２よりも小さい第１の割合Ｒ１とする。この場合は、第１の割合Ｒ１は例えば０．１〜０．２であり、水Ｈ１の０．１〜０．２の割合の水Ｈ２を貯湯部４０に供給し、それによって押し出された水Ｈ４と、貯湯部４０を経由しない水Ｈ３（水Ｈ１の０．８〜０．９の割合の水）と、を混合して、水Ｈ５として水栓２０から吐水する。
【００７２】
このように、制御部５０によって水Ｈ１の流れる方向と量を制御することにより、図１に例示した動作を実施することができる。
【００７３】
なお、図５に例示したように、第１温度帯ＴＲ１を、第４温度帯ＴＲ４（第１温度Ｔ１よりも高く第３温度Ｔ３以下の温度帯）と、第５温度帯ＴＲ５（第３温度Ｔ３よりも高い温度帯）と、に分けて、それに対応させて第２の割合Ｒ２を変えても良い。
【００７４】
（第２の実施例）
図８は、第２の実施例の即湯システム８ｂの構成を例示している。また、同図は、水Ｈ１の温度Ｔ１が、第２温度Ｔ２よりも低い第２温度帯ＴＲ２にある時の即湯システム８ｂの動作状態も示している。  
図８に表したように、第２の実施例の即湯システム８ｂの制御部５０ｂには、即湯システム８ａにおける切替弁５２の代わりに、電磁式三方弁６２が用いられ、冷水弁５３の代わりに電磁式弁６３が用いられている。電磁式三方弁６２の機能は切替弁５２と同様とすることができ、電磁式弁６３の機能は冷水弁５３と同様とすることができる。
【００７５】
そして、制御部５０ｂは、水Ｈ１の温度を検出する温度センサ６８をさらに有している。そして、制御部５０ｂは、温度センサ６８によって検出された水Ｈ１の温度に基づいて、電磁式三方弁６２と電磁式弁６３とを動作させ、図５〜図７に関して説明した動作を実行することができる。
【００７６】
即湯システム８ｂにおいても、加熱タンクを設けることなく、且つ給湯器が適温設定されている場合であっても、水栓から適温で吐水することができる。
【００７７】
以上、具体例を参照しつつ、本発明の実施の形態について説明した。しかし、本発明は、これらの具体例に限定されるものではない。例えば、即湯システムを構成する各要素の具体的な構成に関しては、当業者が公知の範囲から適宜選択することにより本発明を同様に実施し、同様の効果を得ることができる限り、本発明の範囲に包含される。  
また、各具体例のいずれか２つ以上の要素を技術的に可能な範囲で組み合わせたものも、本発明の要旨を包含する限り本発明の範囲に含まれる。
【００７８】
その他、本発明の実施の形態として上述した即湯システムを基にして、当業者が適宜設計変更して実施し得る全ての即湯システムも、本発明の要旨を包含する限り、本発明の範囲に属する。
【００７９】
その他、本発明の思想の範疇において、当業者であれば、各種の変更例及び修正例に想到し得るものであり、それら変更例及び修正例についても本発明の範囲に属するものと了解される。
【符号の説明】
【００８０】
８、８ａ、８ｂ…即湯システム、  １０…給湯器、  ２０…水栓、  ２１…出水栓、  ２２…水栓本体、  ２３…スパウト、  ３０、３１…給湯配管、  ４０…貯湯部、  ４１…タンク、  ４２…タンク保温部、  ４３…温水管、  ４３ａ…温水管接続部、  ４４…冷水管、  ４４ａ…冷水管接続部、  ４５ａ…上バッフル、  ４５ｂ…下ワッフル、  ４６…タンク内配管、  ５０、５０ｂ…制御部、  ５１ａ…流入口、  ５１ｂ…出湯口、  ５１ｃ…第１接続部、  ５１ｄ…第２接続部、  ５２…切替弁、  ５３…冷水弁、  ５３ａ…間隙、  ５３ｂ…当接部、  ５４…冷水逆止弁、  ５５…分岐部、  ５６…オリフィス、  ５７…合流部、  ６２…電磁式三方弁、  ６３…電磁式弁、  ６８…温度センサ、  Ｈ１〜Ｈ５…水、  Ｒ１、Ｒ２…第１、第２の割合、  Ｔ…温度、  Ｔ１〜Ｔ３…第１〜第３温度、  ＴＲ１〜ＴＲ５…第１〜第５温度帯、
【図１】
2010286189.tif 000003
【図２】
2010286189.tif 000004
【図３】
2010286189.tif 000005
【図４】
2010286189.tif 000006
【図５】
2010286189.tif 000007
【図６】
2010286189.tif 000008
【図７】
2010286189.tif 000009
【図８】
2010286189.tif 000010